(57)【要約】【課題】  任意のＷｅｂページ情報に関連付けされた番組の存在を通知可能なＷｅｂ情報処理装置を提供する。【解決手段】  Ｗｅｂブラウザ１０３で閲覧中のＷｅｂページが変化すると、ページ切換検出部２０１が検出し、Ｗｅｂページ情報取得部１０６で新たなＷｅｂページの情報を取得する。そして、関連付け判定部２０２が、このＷｅｂページが関連Ｗｅｂページ情報保持部１０９に記憶されているか調べる。記憶されていれば、関連付けられた番組を番組検索部２０３が検索し、関連番組通知部２０４を通じて通知する。【選択図】  図２
2007312251.tif 000002
【特許請求の範囲】
【請求項１】
Ｗｅｂページを表示装置に表示させる第１の表示制御手段と、
前記表示装置に表示中のＷｅｂページを特定する情報を取得する情報取得手段と、
Ｗｅｂページを特定する情報と番組を特定するための情報とが関連付けされて記憶された記憶装置と、前記表示中のＷｅｂページを特定する情報とから、前記表示中のＷｅｂページに関連付けされた番組の有無を判定する判定手段と、
前記表示中のＷｅｂページに関連付けされた番組があると判定された場合、前記表示中のＷｅｂページを特定する情報に関連付けされて記憶された番組を特定するための情報に基づいて、関連番組の存在を通知する画面を生成し、前記表示装置に表示させる第２の表示制御手段とを有することを特徴とするＷｅｂ情報処理装置。
【請求項２】
前記情報取得手段が、前記表示装置に表示中のＷｅｂページ中にリンクされている他のＷｅｂページを特定する情報をも取得し、
前記判定手段が、前記他のＷｅｂページを特定する情報についても、関連付けされた番組の有無を判定し、
前記第２の表示制御手段が、前記他のＷｅｂページに関連付けされた番組が判定された場合には、前記記憶装置において前記他のＷｅｂページを特定する情報に関連付けて記憶された番組を特定するための情報に基づいて、関連番組の存在を通知する画面を生成して前記表示装置に表示させることを特徴とする請求項１記載のＷｅｂ情報処理装置。
【請求項３】
さらに、前記他のＷｅｂページ中にリンクされているＷｅｂページを特定する情報を取得する第２の情報取得手段を有し、
前記判定手段及び第２の表示制御手段が、前記他のＷｅｂページ中にリンクされているＷｅｂページを特定する情報についても、前記他のＷｅｂページを特定する情報と同様に前記判定及び前記表示を行なうことを特徴とする請求項２記載のＷｅｂ情報処理装置。
【請求項４】
さらに、ユーザの指示を受け付ける入力手段と、
前記入力手段を通じて、ユーザから入力された指示を判別する判別手段と、
前記関連番組の存在を通知する画面の表示中に、前記判別手段により、前記ユーザから通知不要の指示の入力が判別された場合、前記表示中のＷｅｂページを特定する情報を含む通知条件を記憶する記憶手段とを有することを特徴とする請求項１乃至請求項３のいずれか１項に記載のＷｅｂ情報処理装置。
【請求項５】
前記記憶手段に記憶される通知条件に含まれるＷｅｂページを特定する情報により特定されるＷｅｂページが表示中である場合には、前記第２の表示制御手段が、前記関連番組の存在を通知する画面を前記表示装置に表示させないことを特徴とする請求項４記載のＷｅｂ情報処理装置。
【請求項６】
さらに、ユーザに、前記表示中のＷｅｂページと関連付けて記憶したい番組を特定させるための入力画面を前記表示装置に表示させる第３の表示制御手段と、
前記入力画面を介して特定された番組を特定するための情報を、前記表示中のＷｅｂページを特定する情報に関連付けて、前記記憶装置に登録する登録手段とを有することを特徴とする請求項１乃至請求項５のいずれか１項に記載のＷｅｂ情報処理装置。
【請求項７】
Ｗｅｂページを表示装置に表示させる第１の表示制御ステップと、
前記表示装置に表示中のＷｅｂページを特定する情報を取得する情報取得ステップと、
Ｗｅｂページを特定する情報と番組を特定するための情報とが関連付けされて記憶された記憶装置と、前記表示中のＷｅｂページを特定する情報とから、前記表示中のＷｅｂページに関連付けされた番組の有無を判定する判定ステップと、
前記表示中のＷｅｂページに関連付けされた番組があると判定された場合、前記表示中のＷｅｂページを特定する情報に関連付けされて記憶された番組を特定するための情報に基づいて、関連番組の存在を通知する画面を生成し、前記表示装置に表示させる第２の表示制御ステップとを有することを特徴とするＷｅｂ情報処理方法。
【請求項８】
前記情報取得ステップが、前記表示装置に表示中のＷｅｂページ中にリンクされている他のＷｅｂページを特定する情報をも取得し、
前記判定ステップが、前記他のＷｅｂページを特定する情報についても、関連付けされた番組の有無を判定し、
前記第２の表示制御ステップが、前記他のＷｅｂページに関連付けされた番組が判定された場合には、前記記憶装置において前記他のＷｅｂページを特定する情報に関連付けて記憶された番組を特定するための情報に基づいて、関連番組の存在を通知する画面を生成して前記表示装置に表示させることを特徴とする請求項７記載のＷｅｂ情報処理方法。
【請求項９】
さらに、前記他のＷｅｂページ中にリンクされているＷｅｂページを特定する情報を取得する第２の情報取得ステップを有し、
前記判定ステップ及び第２の表示制御ステップが、前記他のＷｅｂページ中にリンクされているＷｅｂページを特定する情報についても、前記他のＷｅｂページを特定する情報と同様に前記判定及び前記表示を行なうことを特徴とする請求項８記載のＷｅｂ情報処理方法。
【請求項１０】
さらに、入力手段を通じてユーザから入力された指示を判別する判別ステップと、
前記関連番組の存在を通知する画面の表示中に、前記判別ステップにより、前記ユーザから通知不要の指示の入力が判別された場合、前記表示中のＷｅｂページを特定する情報を含む通知条件を記憶する記憶ステップとを有することを特徴とする請求項７乃至請求項９のいずれか１項に記載のＷｅｂ情報処理方法。
【請求項１１】
前記記憶ステップに記憶される通知条件に含まれるＷｅｂページを特定する情報により特定されるＷｅｂページが表示中である場合には、前記第２の表示制御ステップが、前記関連番組の存在を通知する画面を前記表示装置に表示させないことを特徴とする請求項１０記載のＷｅｂ情報処理方法。
【請求項１２】
さらに、ユーザに、前記表示中のＷｅｂページと関連付けて記憶したい番組を特定させるための入力画面を前記表示装置に表示させる第３の表示制御ステップと、
前記入力画面を介して特定された番組を特定するための情報を、前記表示中のＷｅｂページを特定する情報に関連付けて、前記記憶装置に登録する登録ステップとを有することを特徴とする請求項７乃至請求項１１のいずれか１項に記載のＷｅｂ情報処理方法。
【発明の詳細な説明】
【技術分野】
【０００１】
本発明は、放送プログラム（以下、番組という）に任意のＷｅｂページが関連付けされた情報を用いるＷｅｂ情報処理装置及びＷｅｂ情報処理方法に関する。
【背景技術】
【０００２】
近年、放送波を受信して映像や音声を出力する機能に加え、コンピュータネットワーク上のサーバへアクセスしてＷｅｂページ等を表示可能な受信装置やＰＣ等が市販されている。また、テレビ放送とデータ通信の融合について、放送事業者及び通信事業者の双方で様々が議論・提案がなされており、近い将来、視聴者が放送／通信の区別を意識することなく、両者を利用したサービスを享受するであろうことは、想像に難くない。このような情勢を踏まえ、様々な付加価値を持った装置が提案されている。
【０００３】
特許文献１には、ディジタルテレビ放送データの付随情報として伝送されたＵＲＬ情報を検出し、検出したＵＲＬ情報をＵＲＬデータベースに格納するディジタルテレビ受信装置が記載されている。特許文献１記載のディジタルテレビ受像機はまた、インターネットへの接続機能と、ＵＲＬデータベースに格納されたＵＲＬを一覧表示して、ユーザが指定したＵＲＬへ接続してＷｅｂページを表示する機能を備えている。
【０００４】
特許文献２には、ネットワーク上のファイルオブジェクト内容から抽出した特徴によりテレビ番組表や録画予約済み番組、録画済み番組を検索し、当てはまる番組をユーザに提示するシステムが開示されている。ユーザは、提示される番組のリストを用い、録画予約、または録画済みの番組再生を行なうことが可能である。
【０００５】
特許文献３記載の携帯端末では、テレビ受信チャネルに対する関連ＵＲＬアドレスを予めテレビ受信チャネルに情報と対応付けて登録しておく。そして、現在受信中のテレビ放送に関連するウェブサイトの有無を登録情報から判定し、ある場合にはそのサイトへアクセスすることで、ユーザがＵＲＬの入力やブックマークからの選択を行なわなくても関連ウェブサイトへのアクセスを可能としている。
【０００６】
特許文献４には、放送波に多重化された情報から、視聴中の番組に関連するＷｅｂページの有無を判定し、有る場合には画面にメッセージを表示して視聴者に通知したり、別画面で関連Ｗｅｂページを表示したりする放送受信装置が開示されている。
【０００７】
また、特許文献５には、テレビ番組名などのＥＰＧ情報をブックマーク登録時に付加して記憶し、テレビ番組視聴中にＷｅｂページ閲覧を行う場合、視聴中番組のＥＰＧ情報で登録済ブックマークを検索する技術が開示されている。この特許文献５に開示の技術では、登録済ブックマークを検索した結果、該当するブックマークがある場合、そのＷｅｂページを自動的に表示する。
【０００８】
【特許文献１】特開２００３−３１９２７９号公報
【特許文献２】特開２０００−３０７９９３号公報
【特許文献３】特開２００５−２５６６１号公報
【特許文献４】特開２００５−１９２００６号公報
【特許文献５】特開２００６−０４１８５６号公報
【発明の開示】
【発明が解決しようとする課題】
【０００９】
特許文献１に記載のディジタルテレビ受信機では、ＵＲＬ情報だけをＵＲＬデータベースに格納しているため、ＵＲＬ情報を番組に関連付けることができなかった。また、番組を試聴する側のユーザによって自由にＵＲＬ情報を設定することができなかった。
【００１０】
特許文献２に記載のシステムでは、ネットワーク上のファイルオブジェクト（Ｗｅｂページ）内容から抽出したキーワードが含まれる番組が関連番組として抽出される。そのため、Ｗｅｂページデータ中に文字列として含まれない情報（例えば画像として提示される文字情報）に関連する番組は関連番組として扱うことができない。
【００１１】
特許文献３や特許文献４及び特許文献５に記載の装置は、いずれも受信中のテレビ放送に関連するＷｅｂページへのアクセスを容易にしているが、Ｗｅｂページ閲覧中に、そのＷｅｂページと関連するテレビ放送に関して通知する機能は有していない。
【００１２】
本発明は、このような従来技術の課題に鑑みなされたものであり、Ｗｅｂページ閲覧中に、そのＷｅｂページと関連付けられた番組を通知可能なＷｅｂ情報処理装置及びＷｅｂ情報処理方法を提供することを目的とする。
【課題を解決するための手段】
【００１３】
上述の目的は、Ｗｅｂページを表示装置に表示させる第１の表示制御手段と、表示装置に表示中のＷｅｂページを特定する情報を取得する情報取得手段と、Ｗｅｂページを特定する情報と番組を特定するための情報とが関連付けされて記憶された記憶装置と、表示中のＷｅｂページを特定する情報とから、表示中のＷｅｂページに関連付けされた番組の有無を判定する判定手段と、表示中のＷｅｂページに関連付けされた番組があると判定された場合、表示中のＷｅｂページを特定する情報に関連付けされて記憶された番組を特定するための情報に基づいて、関連番組の存在を通知する画面を生成し、表示装置に表示させる第２の表示制御手段とを有することを特徴とするＷｅｂ情報処理装置によって達成される。
【００１４】
また、上述の目的は、Ｗｅｂページを表示装置に表示させる第１の表示制御ステップと、表示装置に表示中のＷｅｂページを特定する情報を取得する情報取得ステップと、Ｗｅｂページを特定する情報と番組を特定するための情報とが関連付けされて記憶された記憶装置と、表示中のＷｅｂページを特定する情報とから、表示中のＷｅｂページに関連付けされた番組の有無を判定する判定ステップと、表示中のＷｅｂページに関連付けされた番組があると判定された場合、表示中のＷｅｂページを特定する情報に関連付けされて記憶された番組を特定するための情報に基づいて、関連番組の存在を通知する画面を生成し、表示装置に表示させる第２の表示制御ステップとを有することを特徴とするＷｅｂ情報処理方法によっても達成される。
【発明の効果】
【００１５】
このような構成により、本発明のＷｅｂ情報処理装置によれば、Ｗｅｂページ閲覧中に、そのＷｅｂページと関連付けられた番組をユーザに通知することが可能になる。
【発明を実施するための最良の形態】
【００１６】
以下、図面を参照して、本発明をその好適な実施形態に基づき詳細に説明する。
図１は、本発明の第１実施形態に係るＷｅｂ情報処理装置の一例としてのＷｅｂ情報登録装置の構成例を、図２は、本発明の第１の実施形態に係るＷｅｂ情報処理装置の別の一例としての関連番組通知装置の構成例をそれぞれ示す。
【００１７】
また、図１８は、本発明の第１実施形態に係るＷｅｂ情報処理装置のさらに別の一例として、図１のＷｅｂ情報登録装置と、図２の関連番組通知装置とを１つの装置で実現する装置の構成例を示す。図１、図２及び図１８において、同一の構成には同じ参照数字を付してある。
【００１８】
なお、以下では、便宜上、図１の装置を、図１８の構成を有する装置の一例としてのテレビ受像機１００のＷｅｂ情報登録処理に係る構成として、また、図２の装置を、図１８の装置の関連番組通知処理に係る構成として説明する。
【００１９】
しかし、例えばＰＣである図１のＷｅｂ情報登録装置と、例えばテレビ受像機である図２の関連番組通知装置とを接続した構成であっても、動作を行なう機能ブロックが存在する場所が異なることを除き、同一の処理を実現可能であることは言うまでもない。
まず、図１を参照して、本実施形態のテレビ受像機１００に関する説明を行なう。本実施形態のテレビ受像機１００は、任意のＷｅｂページと任意の番組属性情報とを関連づけて登録することが可能である。番組属性情報とは、放送局などによって番組毎に付与されている各種の属性情報のことである。例えば、放送チャンネルや番組固有のＩＤの他、番組名や番組内容といったテキスト情報、番組のジャンルを特定するジャンル情報、出演者情報などが属性情報となる。もちろん、これら以外の情報であっても、番組に関連する情報は全て属性情報である。日本の放送規格を定めている電波産業会（ＡＲＩＢ）が発行している標準規格群のうち、ＡＲＩＢ  ＳＴＤ−Ｂ１０  ４．０版にはデジタル放送に使用する番組配列情報に関する標準規格が記載されている。この規格で定義されている番組配列情報に含まれる各種情報を本発明での番組属性情報として利用することができる。
【００２０】
図１において、ＴＶ受信部１０１は、放送波より映像・音声からなる番組データや放映日時や番組タイトル等の番組属性情報を受信・蓄積し、ユーザに対して再生・提示する。ユーザインタフェース部１０２は、ユーザからの指示を受け取り、指示に従った動作がなされるようＴＶ受信部１０１およびＷｅｂブラウザ１０３を制御する。ここで、ユーザからの指示は、「選局」や「Ｗｅｂブラウザの起動」であり、通常リモコンを介して入力される。指示は、リモコンに設けられた専用ボタンの押下による場合もあれば、「はい」「いいえ」等の選択肢を含んだ操作画面に対する応答として与えられる場合もある。
【００２１】
Ｗｅｂブラウザ１０３は、ネットワーク３００を介してＷｅｂサーバから受信する、ＨＴＭＬ(Hyper Text Markup Language)等のマークアップ言語で記述されたＷｅｂページデータを基に、モニタ３１０にＷｅｂページの表示を行う。
【００２２】
ブックマーク要求検知部１０４は、ユーザインタフェース部１０２から関連Ｗｅｂページの登録要求が通知されたことを検知し、関連Ｗｅｂページ情報登録部１０５に対して関連Ｗｅｂページの登録要求があったことを通知する。
【００２３】
関連Ｗｅｂページ登録要求は、リモコン２００に設けられた特定のボタンの押下や、リモコン２００の操作により、メニュー画面等における「関連Ｗｅｂページ登録」項目の選択・決定指示が入力されることなどによって発生する。
【００２４】
関連Ｗｅｂページ情報登録部１０５は、関連Ｗｅｂページ登録要求の発生時点で閲覧中のＷｅｂページを関連Ｗｅｂページとして登録する。関連Ｗｅｂページとは、番組と関連付けてユーザが登録した任意のＷｅｂページである。関連Ｗｅｂページ情報登録部１０５の詳細は後述する。
【００２５】
Ｗｅｂページ情報取得部１０６は、Ｗｅｂブラウザ１０３から、表示中のＷｅｂページの情報（以下、Ｗｅｂページ情報と記す）を取得して関連Ｗｅｂページ情報登録部１０５に送る。なお、本実施形態において、Ｗｅｂページ情報とは、ＵＲＬ等のアドレス情報やＷｅｂページのタイトル情報等のＷｅｂページを特定するための情報である。
【００２６】
リンク対象情報取得部１０７は、Ｗｅｂページと連携させる番組を特定するための属性情報（以降、リンク対象情報と称する。）を取得する。番組属性情報保持部１０８は、ＴＶ受信部１０１が受信した番組属性情報を保持する。関連Ｗｅｂページ情報保持部１０９は、関連Ｗｅｂページ情報登録部１０５にて登録した関連Ｗｅｂページ情報を保持する。
【００２７】
なお、図１、図２及び図１８に示した装置はＣＰＵなどの中央処理制御部１１０によって統括的な管理がなされるものとする。例えば、Ｗｅｂページ情報取得部１０６がＷｅｂページのアドレス（ＵＲＬ）とタイトル情報等を取得し、関連Ｗｅｂページ情報登録部１０５に送信する処理は制御部１１０によって制御される。また、これらの図の各機能部はハードウェアとして実現することも可能であるし、ソフトウェアで実行可能なように構成することも可能である。
【００２８】
（Ｗｅｂページ情報の登録処理）
関連Ｗｅｂページ情報登録部１０５における関連Ｗｅｂページ情報の登録処理を図３のフローチャートを用いて説明する。特に明示しない限り、本フローチャートの各ステップは制御部１１０によって制御されるものとする。
関連Ｗｅｂページ情報登録部１０５は、ブックマーク要求検知部１０４からの通知を受け取ると、Ｗｅｂブラウザ１０３で閲覧中のＷｅｂページのＷｅｂページ情報を、Ｗｅｂページ情報取得部１０６から取得する（ステップＳ５０１）。次いで、制御部１１０は閲覧中のＷｅｂページと連携させる番組（リンク対象）をユーザに特定させるための番組一覧画面をモニタ３１０に表示する（ステップＳ５０２）。番組一覧画面とは、例えば、電子番組表（ＥＰＧ）であってもよいし、ジャンルやキーワードを用いた番組検索結果のリストであってもよい。
【００２９】
どのような番組一覧画面を表示するのかは予め設定しておくことも可能であるし、Ｗｅｂページ情報を取得した後、モニタ３１０に選択画面を表示し、例えばＥＰＧを表示するか、検索を行なうかをユーザに選択させるようにしても良い。
検索を行なう場合は、例えばソフトキーボードをモニタ３１０に表示し、リモコン２００の操作により検索する語を入力させることができる。
【００３０】
ユーザにより番組が特定されると、関連Ｗｅｂページ情報登録部１０５は、この番組を特定する値をリンク対象情報として番組属性情報保持部１０８より取得する（ステップＳ５０３）。次いで、関連Ｗｅｂページ情報登録部１０５は、取得したＷｅｂページ情報とリンク対象情報とを関連付けた関連Ｗｅｂ情報を関連Ｗｅｂページ情報保持部１０９に登録する（ステップＳ５０４）。
【００３１】
関連Ｗｅｂページ登録要求が、図４に示すようなＷｅｂページ閲覧中に発生し、番組タイトル「宇宙戦争」で特定される番組がリンク対象として特定された場合とする。この場合、関連Ｗｅｂページ情報保持部１０９に登録する情報は、例えば図５の５１に示すようになる。Ｗｅｂページ情報としては、関連Ｗｅｂページのアドレス情報（ＵＲＬ）とＷｅｂページのタイトルが格納されている。また、そのＷｅｂページに関連づけられたリンク対象情報は、関連づけの対象（特定の番組か、ジャンルか、など）と、リンク対象の内容及びそのフォーマットとなっている。リンク対象情報は、Ｗｅｂページと連携したい番組を特定するための情報であるので、５２や５３に示すように、ジャンルやキーワードなど、番組が特定可能な任意の種類の情報を用いることができる。
【００３２】
図２において、ＴＶ受信部１０１およびユーザインタフェース部１０２およびＷｅｂブラウザ１０３は、図１と同様であるため、説明は省略する。ページ切換検出部２０１はＷｅｂブラウザ１０３を監視し、Ｗｅｂページの閲覧状態が変化したことを検出する。そして、新しく閲覧を開始したＷｅｂページが関連Ｗｅｂページとして登録済みか否かを判定するよう関連付け判定部２０２へ通知する。ここで、Ｗｅｂページ閲覧状態の変化とは、Ｗｅｂページの閲覧開始（Ｗｅｂページを閲覧していない状態から閲覧している状態へ変化）や、ページ切換（現在閲覧しているＷｅｂページのとは異なるＷｅｂページの閲覧を開始）のことである。
【００３３】
関連付け判定部２０２は、Ｗｅｂページ情報取得部１０６からのＷｅｂページ情報と、関連Ｗｅｂページ情報保持部１０９とから、現在閲覧中のＷｅｂページが関連Ｗｅｂページか否かを判定する。そして、関連Ｗｅｂページであれば、対応するリンク対象情報を参照して、登録された関連番組を検索するよう番組検索部２０３へ通知する。関連付け判定部２０２の詳細は後述する。
【００３４】
番組検索部２０３は、番組属性情報保持部１０８の持つ番組属性情報に基づき、関連付け判定部２０２の指定した条件に合致する番組を検索する。関連番組通知部２０４は、番組検索部２０３の検索結果に基づき、関連番組の存在をユーザへ通知する。Ｗｅｂページ情報取得部１０６および番組属性情報保持部１０８および関連Ｗｅｂページ情報保持部１０９は、図１と同様であるため、説明は省略する。
【００３５】
関連付け判定部２０２が、ページ切換検出部２０１の通知に応答して、閲覧中のＷｅｂページが予め設定された関連Ｗｅｂページに該当するか否かを判定する処理について、図６のフローチャートを参照して説明する。
【００３６】
関連付け判定部２０２は、ページ切換検出部２０１からの通知を受け取ると、図６の処理を開始する。まず、閲覧中のＷｅｂページのＷｅｂページ情報をＷｅｂページ情報取得部１０６から取得する（ステップＳ２０２）。次いで、関連Ｗｅｂページ情報を関連Ｗｅｂページ情報保持部１０９から取得し（ステップＳ２０３）、閲覧中のＷｅｂページ情報が関連Ｗｅｂページ情報に含まれるか否かを判定する（ステップＳ２０４）。
【００３７】
閲覧中のＷｅｂページ情報が関連Ｗｅｂページ情報に含まれていれば（ステップＳ２０４，Ｙ）、対応するリンク対象情報を取得する（ステップＳ２０５）。そして、リンク対象情報により特定される番組を検索するよう番組検索部２０３へ通知し（ステップＳ２０６）、処理を終了する。一方、閲覧中のＷｅｂページ情報が関連Ｗｅｂページ情報に含まれていなければ（ステップＳ２０４，Ｎ）、何もせずに終了する。
【００３８】
ユーザが図４に示すような、アドレス情報“http://toy.com/space_war.html”で特定されるＷｅｂページの閲覧を開始し、図５の５１に示すような関連Ｗｅｂページ情報が登録済みであったとする。この場合、閲覧中のＷｅｂページ情報のアドレス情報“http://toy.com/space_war.html”が関連Ｗｅｂページ情報保持部１０９に登録されたアドレス情報と一致するため、閲覧中のＷｅｂページは関連Ｗｅｂページと判定される。そして、対応するリンク対象情報は、図５より“番組タイトル「宇宙戦争」”となり、このリンク対象情報が検索指示と共に番組検索部２０３に通知される。番組検索部２０３は、通知されたリンク対象情報を用い、番組タイトルが「宇宙戦争」であるような番組が、番組属性情報保持部１０８の保持する番組属性情報に含まれるか否か検索する。番組属性情報中にリンク対象情報に対応する情報が見出された場合、番組検索部２０３は、その結果を関連番組通知部２０４へ通知する。
【００３９】
次に、関連番組通知部２０４が、番組検索部２０３が見出した関連番組をユーザへ通知する処理について、図７のフローチャートを参照して説明する。
関連番組通知部２０４は、番組検索部２０３から関連番組の通知を受けると、図７の処理を開始する。まず、該当する番組の番組属性情報を取得し（ステップＳ４０２）、この番組が「蓄積済みの番組」「現在放映中の番組」「将来放映予定の番組」のいずれであるかを判定する（ステップＳ４０３）。この番組が「蓄積済みの番組」であれば（ステップＳ４０４，Ｙ）、次処理をこの番組の再生を可能とするための通知画面生成ステップとする（ステップＳ４０５）。
【００４０】
なお、番組属性情報保持部１０８は、取得している番組属性情報の各番組に対して「蓄積済み」か否かを判定するフラグもあわせて保持しているとする。しかしながら、蓄積済みの番組か否かの情報は番組属性情報保持部１０８以外の機能部に保持されていてもよい。番組属性情報保持部１０８以外の機能部に保持されている場合は、関連番組通知部２０４がその機能部の情報を元にステップＳ４０３の判定処理を行なう。さらに、「現在放映中の番組」か「将来放映予定の番組」か否かの判定は、番組属性情報保持部１０８が保持している各番組の属性情報としての放映時間情報を元に判断することが可能である。
【００４１】
また、この番組が「蓄積済みの番組」でなければ（ステップＳ４０４，Ｎ）、ステップＳ４０６でさらに「現在放映中の番組」かどうか判定する。放映中の番組であれば（Ｓ４０６，Ｙ）、次処理をこの番組の選局を可能とするための通知画面生成ステップとする（ステップＳ４０７）。また、この番組が「将来放映予定の番組」であれば（Ｓ４０６，Ｎ）、次処理をこの番組の予約を可能とするための通知画面生成ステップとする（ステップＳ４０８）。番組の予約とは、録画予約と視聴予約のいずれかの予約である。
【００４２】
次いで、関連番組の存在をユーザに通知するために、ステップＳ４０５、ステップＳ４０７、ステップＳ４０８のいずれかのステップで生成されたメッセージ表示画面を表示する関連番組の存在を通知する（ステップＳ４０９）。図８に、関連番組が現在放映中の番組であった場合にモニタ３１０に表示する関連番組通知画面例を示す。図８の通知画面では、関連番組の存在を通知するとともに、この番組を視聴するための選局機能も提供している。
【００４３】
また、図９は、関連番組が複数存在する場合の関連番組通知画面例を示す。関連番組が複数有る場合、例えば図９（ａ）に示すように、詳細を表示するかどうかを問い合わせてから図９（ｂ）の詳細通知画面を表示しても良いし、問い合わせ無しに図９（ｂ）の画面を表示しても良い。
【００４４】
図９（ｂ）では、３つある関連番組が、それぞれ「現在放映中の番組」、「将来放映予定の番組」及び「蓄積済みの番組」である場合の例を示している。図９（ｂ）に示すように、関連番組通知画面には、図７のステップＳ４０５、Ｓ４０７及びＳ４０８において「次処理」とした処理内容を、ユーザが実行指示可能なように表示する。図９（ｂ）の例では、関連番組の視聴／再生、録画予約を指示可能に表示している。この他、番組のあらすじや、出演者といった番組属性情報の提示など、他の処理をユーザが指示できるように通知画面を構成することも可能である。
【００４５】
図１０に、関連番組が蓄積済みの番組であった場合の関連番組通知画面例を示す。図１０の通知画面では、関連番組の存在を通知するだけでなく、ユーザがこの番組の視聴方法を指定可能な構成を有している。具体的には、今すぐ再生するか、Ｗｅｂ閲覧を終了したら再生するかを指定するためのボタンを通知画面に含めている。換言すれば、通知画面が再生指示画面としての機能も有している。
【００４６】
なお、通知画面から「今すぐ再生」が指示された場合など、関連番組をモニタ３１０に表示させる際には、図１１に示すように、閲覧中のＷｅｂページと関連番組とを同時に表示させても良い。
【００４７】
このように、本実施形態によれば、閲覧中のＷｅｂページ情報と任意のリンク対象情報とを関連Ｗｅｂページ情報として登録することにより、任意のＷｅｂページを任意の番組に関連付けることができるようになった。また、閲覧中のＷｅｂページの情報を取得し、そのＷｅｂページがリンク対象情報に関連付けられた関連Ｗｅｂページである場合には、関連番組の存在をユーザに通知する。これにより、ユーザは、閲覧中のＷｅｂページに関連付けた番組の存在を知ることができるようになった。
さらに、関連番組の通知画面から、録画予約や再生、或いは選局などの処理を指示可能とすることで、利便性を更に向上させることができる。
【００４８】
＜第２実施形態＞
第１実施形態では、閲覧中のＷｅｂページのＷｅｂページ情報に基づいて、閲覧中のＷｅｂページが関連Ｗｅｂページであるか否かの判定を行った。本実施形態では、閲覧中のＷｅｂページに加え、閲覧中のＷｅｂページに含まれるリンク先のＷｅｂページのＷｅｂページ情報に基づいて、閲覧中のＷｅｂページが関連Ｗｅｂページかどうかの判定を行う場合について述べる。
【００４９】
本実施形態の関連番組通知装置においても、機能構成は第１の実施形態と共通で良いため、ここでは本実施形態に特徴的な関連付け判定部２０２の処理について説明する。
本実施形態の関連付け判定部２０２が、ページ切換検出部２０１の通知に応答して、閲覧中のＷｅｂページが関連Ｗｅｂページか否かを判定する処理について、図１２のフローチャートを参照して説明する。
【００５０】
関連付け判定部２０２は、ページ切換検出部２０１からの通知を受け取ると、図１２の処理を開始する。まず、閲覧中のＷｅｂページのＷｅｂページ情報をＷｅｂページ情報取得部１０６から取得する（ステップＳ２０２）。
【００５１】
次いで、閲覧中のＷｅｂページ文書のリンク先Ｗｅｂページ情報を取得する（ステップＳ２０７）。リンク先Ｗｅｂページ情報の取得は、Ｗｅｂページ文書（ＨＴＭＬ文書等）に記述されたＷｅｂページを特定する情報（アドレス情報等）を抽出することにより実施することが可能である。具体的には、閲覧中のＷｅｂページのソースから、特定文字（例：http//）で開始する文字列を抽出しても良いし、特定要素（例：ａ要素）の値を抽出しても良いし、Ｗｅｂブラウザ１０３の内部データ（例：文書オブジェクトモデル等）を使用して取得しても良い。
【００５２】
例えば、閲覧中のＷｅｂページのソース文書が図１３に示すような記述内容であった場合は、リンク先ＷｅｂページのＷｅｂページ情報として、アドレス情報“http://toy.com/”および“http://toy.com/harry_bottle.html”が取得される。
【００５３】
次いで、関連Ｗｅｂページ情報を関連Ｗｅｂページ情報保持部１０９から取得し（ステップＳ２０３）、閲覧中およびリンク先のＷｅｂページ情報が関連Ｗｅｂページ情報に含まれるか否かを判定する（ステップＳ２０４）。
【００５４】
閲覧中のＷｅｂページ情報が関連Ｗｅｂページ情報に含まれていれば（ステップＳ２０４，Ｙ）、対応するリンク対象情報を取得し（ステップＳ２０５）、ステップＳ２０８へ進む。一方、閲覧中のＷｅｂページ情報が関連Ｗｅｂページ情報に含まれていなければ（ステップＳ２０４，Ｎ）、何もせずにステップＳ２０８へ進む。
【００５５】
ステップＳ２０８では、取得した全てのＷｅｂページ情報についての判定が完了したかどうかをチェックし、完了していなければステップＳ２０４へ戻る。完了した場合にはステップＳ２０９へ進む。
【００５６】
ステップＳ２０９では、ステップＳ２０４、Ｓ２０５、Ｓ２０８の処理ループにおいて、１つ以上のＷｅｂページ情報が関連Ｗｅｂページ情報に含まれていたかどうかを判定する。関連Ｗｅｂページ有りと判定されれば（Ｓ２０９，Ｙ）、リンク対象情報により特定される番組を検索するよう番組検索部２０３へ通知し（ステップＳ２０６）、処理を終了する。関連Ｗｅｂページ無しと判定されれば（Ｓ２０９，Ｎ）、何もせずに終了する。
【００５７】
図５に示すような関連Ｗｅｂページ情報が登録された状態で、ユーザが、アドレス情報“http://toy.com/space_war.html”で特定され、かつ図１３に示すような記述内容を持つ、図４に示すようなＷｅｂページの閲覧を開始したとする。
【００５８】
この場合、閲覧中のＷｅｂページ情報のアドレス情報“http://toy.com/space_war.html”が図５の５１に示すアドレス情報と一致するため、このＷｅｂページは関連Ｗｅｂページであると判定される。
【００５９】
また、図１３の記述に含まれるリンク先Ｗｅｂページ情報のアドレス情報“http://toy.com/”および“http://toy.com/harry_bottle.html”のうち、後者が図５の５３に示すアドレス情報と一致するため、このＷｅｂページも関連Ｗｅｂページと判定される。
【００６０】
それぞれの関連Ｗｅｂページに対応するリンク対象情報は、図５より番組タイトル”宇宙戦争”と、キーワード“ハリー・ボトル”である。これらのリンク対象情報は番組検索部２０３へ通知される。そして、番組タイトルが「宇宙戦争」であるような番組、キーワードが「ハリー・ボトル」であるような番組が、番組属性情報保持部１０８の保持する番組属性情報に含まれるか否かの検索が行われる。
【００６１】
図１４は、リンク先Ｗｅｂページの関連番組が将来放映予定の番組であった場合の関連番組通知画面例を示す。図１０の通知画面では、関連番組の存在を通知するだけでなく、ユーザがこの番組の録画予約を行なうか否かを指定可能な構成を有している。具体的には、番組通知画面が録画予約を行なうためのボタンを有している。換言すれば、通知画面が録画予約指示画面としての機能も有している。
【００６２】
本実施形態において、リンク先ＷｅｂページのＷｅｂページ情報の取得処理（図１２のステップＳ２０７）で取得するリンクの深さは適宜設定することが可能である。例えば、図１５に示すように、閲覧中のＷｅｂページのリンク先Ｗｅｂページに加え、リンク先のＷｅｂページ中のリンク先Ｗｅｂページ（２回目のリンク先Ｗｅｂページ）についても、Ｗｅｂページ情報の取得対象としても良い。
【００６３】
なお、リンク先Ｗｅｂページの取得範囲は、リンクを追う深さ（例：２回目のリンク先）や、リンク先Ｗｅｂページの数（例：リンク先Ｗｅｂページが５つ）として規定することが可能である。
【００６４】
このように、本実施形態によれば、閲覧中のＷｅｂページだけでなく、リンク先Ｗｅｂページについても関連Ｗｅｂページであるか否かをも判定して関連番組検索を行う。これにより、ユーザは、閲覧中のＷｅｂページのリンク先Ｗｅｂページに関連付けられた番組の存在をも知ることができるようになる。
【００６５】
＜第３実施形態＞
第１実施形態および第２実施形態では、閲覧中のＷｅｂページや、そのリンク先Ｗｅｂページに関連Ｗｅｂページが見つかった場合、常に関連番組を通知する構成であった。しかし、ユーザが関連番組の通知を希望しない場合もある。
【００６６】
本実施形態では、関連番組の通知に関してユーザが設定することを可能にしたことを特徴とする。本実施形態の関連番組通知装置においても、機能構成は第１の実施形態と共通で良いため、ここでは本実施形態に特徴的な関連番組通知部２０４の処理について説明する。
【００６７】
図１６に、本実施形態の関連番組通知部２０４の処理フローを示す。関連番組通知部２０４は、図７を参照して説明したように関連番組を通知する。そして、図７のステップＳ４０９において、例えば関連番組通知画面を表示した状態で、ユーザインタフェース部１０２を通じ、ユーザから以後の通知が不要である旨の指示を受信したとする。この場合、関連番組通知部２０４は、例えば関連付け判定部２０２を通じてＷｅｂページ情報保持部１０９へ通知条件を記憶する（ステップＳ４１２）。
【００６８】
なお、ユーザからの指示は、例えばリモコン２００の特定のボタンの押下の検出であって良い。また、再生や予約機能と同様、通知不要の指定を行なうためのボタンを通知画面中に含めておき、そのボタンの選択、実行指示であってもよい。
【００６９】
通知条件は、閲覧中のＷｅｂページを再度閲覧した際に関連番組通知を行うか否かを判定するための条件である。このような判定を行うため、本実施形態では、通知条件は少なくとも閲覧中であったＷｅｂページのＷｅｂページ情報と、時間情報とを含む。ここで、時間情報とは、通知不要である旨の指示を受け付けた時刻を表す情報であっても良いし、通知が再度有効になる時刻（例：現在時刻から２４時間後、通知番組が放映中であれば番組終了時刻）を表す情報であっても良い。
【００７０】
次に、このような通知条件を考慮した、関連付け判定部２０２の処理動作について図１７記載のフローチャートに基づいて説明する。
関連付け判定部２０２は、ページ切換検出部２０１から閲覧ページが切り替わった旨の通知を受け取ると、閲覧中のＷｅｂページのＷｅｂページ情報を、Ｗｅｂページ情報取得部１０６から取得する（ステップＳ２０２）。次いで、このＷｅｂページの通知可否を判定する（ステップＳ２１０）。
【００７１】
すなわち、閲覧中のＷｅｂページのＷｅｂページ情報を含む通知条件が記憶されていなければ、通知「可」である。一方、閲覧中ＷｅｂページのＷｅｂページ情報を含む通知条件が記録されている場合、その通知条件に含まれる時間情報を更に参照して通知可否を判定する。
【００７２】
例えば、時間情報が表す時刻と現在時刻とから通知可否を判定する。具体的には、記録された時間情報が、通知不要である旨の指示を受け付けた時刻を表す場合には、現在時刻との時間差が所定値（例：２４時間）を超えた場合は通知「可」、超えていない場合は通知「不可」と判定する。一方、時間情報が、通知が再度有効となる時刻を表す場合には、時間情報で表される時刻が現在時刻か過去の場合は通知「可」、未来の場合は通知「不可」と判定する。判定の結果、通知「可」であれば（ステップＳ２１１，Ｙ）、このＷｅｂページ情報の通知条件の記録を削除し（ステップＳ２１２）、図６または図１２のステップＳ２０３以降を実行し、関連付け判定処理を継続する。判定の結果、通知「不可」であれば（ステップＳ２１１，Ｎ）、通知を行なわずに処理を終了する。
【００７３】
このように、本実施形態によれば、関連番組の存在通知をユーザが不要であると判断した場合には、所定時間内に再度同じＷｅｂページが閲覧された場合であっても関連番組の通知を行なわない。これにより、同じＷｅｂページを短時間の間に何回か閲覧する必要があるような場合には、２度目以降の閲覧時における通知がなされないため、閲覧毎の通知に煩わされることがない。さらに、関連番組の通知が不要と設定されたＷｅｂページでも、所定時間経過後には再度通知が有効になるようにすることで、ある程度時間が経過した後に再度そのＷｅｂページを閲覧した際には通知がなされるため、ユーザは関連番組の存在を忘れることがない。
【００７４】
＜他の実施形態＞
上述の実施形態は、システム或は装置のコンピュータ（或いはＣＰＵ、ＭＰＵ等）によりソフトウェア的に実現することも可能である。
従って、上述の実施形態をコンピュータで実現するために、該コンピュータに供給されるコンピュータプログラム自体も本発明を実現するものである。つまり、上述の実施形態の機能を実現するためのコンピュータプログラム自体も本発明の一つである。
【００７５】
なお、上述の実施形態を実現するためのコンピュータプログラムは、コンピュータで読み取り可能であれば、どのような形態であってもよい。例えば、オブジェクトコード、インタプリタにより実行されるプログラム、ＯＳに供給するスクリプトデータ等で構成することができるが、これらに限るものではない。
【００７６】
上述の実施形態を実現するためのコンピュータプログラムは、記憶媒体又は有線／無線通信によりコンピュータに供給される。プログラムを供給するための記憶媒体としては、例えば、フレキシブルディスク、ハードディスク、磁気テープ等の磁気記憶媒体、ＭＯ、ＣＤ、ＤＶＤ等の光／光磁気記憶媒体、不揮発性の半導体メモリなどがある。
【００７７】
有線／無線通信を用いたコンピュータプログラムの供給方法としては、コンピュータネットワーク上のサーバを利用する方法がある。この場合、本発明を形成するコンピュータプログラムとなりうるデータファイル（プログラムファイル）をサーバに記憶しておく。プログラムファイルとしては、実行形式のものであっても、ソースコードであっても良い。
【００７８】
そして、このサーバにアクセスしたクライアントコンピュータに、プログラムファイルをダウンロードすることによって供給する。この場合、プログラムファイルを複数のセグメントファイルに分割し、セグメントファイルを異なるサーバに分散して配置することも可能である。
つまり、上述の実施形態を実現するためのプログラムファイルをクライアントコンピュータに提供するサーバ装置も本発明の一つである。
【００７９】
また、上述の実施形態を実現するためのコンピュータプログラムを暗号化して格納した記憶媒体をユーザに配布し、所定の条件を満たしたユーザに、暗号化を解く鍵情報を供給し、ユーザの有するコンピュータへのインストールを可能とすることも可能である。鍵情報は、例えばインターネットを介してホームページからダウンロードさせることによって供給することができる。
また、上述の実施形態を実現するためのコンピュータプログラムは、すでにコンピュータ上で稼働するＯＳの機能を利用するものであってもよい。
【００８０】
さらに、上述の実施形態を実現するためのコンピュータプログラムは、その一部をコンピュータに装着される拡張ボード等のファームウェアで構成してもよいし、拡張ボード等が備えるＣＰＵで実行するようにしてもよい。
【図面の簡単な説明】
【００８１】
【図１】本発明の第１実施形態に係るＷｅｂ情報処理装置の一例としてのＷｅｂ情報登録装置の構成例を示すブロック図である。
【図２】本発明の第１の実施形態に係るＷｅｂ情報処理装置の別の一例としての関連番組通知装置の構成例を示すブロック図である。
【図３】本発明の第１実施形態における関連Ｗｅｂページ情報登録部１０５における関連Ｗｅｂページ情報の登録処理を説明するフローチャートである。
【図４】Ｗｅｂページ画面の例を示す図である。
【図５】本発明の第１実施形態における関連Ｗｅｂページ情報の例を示す図である。
【図６】本発明の第１実施形態における関連付け判定部が、閲覧中のＷｅｂページが関連Ｗｅｂページか否かを判定する処理を説明するフローチャートである。
【図７】本発明の第１実施形態における関連番組通知部が関連番組をユーザへ通知する処理を説明するフローチャートである。
【図８】本発明の第１実施形態において表示される関連番組通知画面の例を示す図である。
【図９】本発明の第１実施形態において表示される、関連番組が複数存在する場合の関連番組通知画面の例を示す図である。
【図１０】本発明の第１実施形態において表示される、関連番組が蓄積済みの番組であった場合の関連番組通知画面例を示す図である。
【図１１】本発明の第１実施形態において、関連Ｗｅｂページと関連番組とを同時表示する例を示す図である。
【図１２】本発明の第２実施形態における関連付け判定部が、閲覧中のＷｅｂページが関連Ｗｅｂページか否かを判定する処理を説明するフローチャートである。
【図１３】Ｗｅｂページ文書の記述例を示す図である。
【図１４】本発明の第２実施形態において、リンク先Ｗｅｂページの関連番組が将来放映予定の番組であった場合の関連番組通知画面例を示す図である。
【図１５】本発明の第２実施形態において設定可能なリンク先Ｗｅｂページの取得範囲について説明する図である。
【図１６】本発明の第３実施形態における関連番組通知部の動作を説明するフローチャートである。
【図１７】本発明の第３実施形態における関連付け判定部の動作を説明するフローチャートである。
【図１８】本発明の第１実施形態に係るＷｅｂ情報処理装置のさらに別の一例として、図１のＷｅｂ情報登録装置と、図２の関連番組通知装置とを１つの装置で実現する装置の構成例を示すブロック図である。
【図１】
2007312251.tif 000003
【図２】
2007312251.tif 000004
【図３】
2007312251.tif 000005
【図４】
2007312251.tif 000006
【図５】
2007312251.tif 000007
【図６】
2007312251.tif 000008
【図７】
2007312251.tif 000009
【図８】
2007312251.tif 000010
【図９】
2007312251.tif 000011
【図１０】
2007312251.tif 000012
【図１１】
2007312251.tif 000013
【図１２】
2007312251.tif 000014
【図１３】
2007312251.tif 000015
【図１４】
2007312251.tif 000016
【図１５】
2007312251.tif 000017
【図１６】
2007312251.tif 000018
【図１７】
2007312251.tif 000019
【図１８】
2007312251.tif 000020
【手続補正書】
【提出日】平成19年6月27日(2007.6.27)
【手続補正１】
【補正対象書類名】特許請求の範囲
【補正対象項目名】全文
【補正方法】変更
【補正の内容】
【特許請求の範囲】
【請求項１】
Ｗｅｂページを表示装置に表示させる第１の表示制御手段と、
前記表示装置に表示中のＷｅｂページを特定する情報を取得する情報取得手段と、
Ｗｅｂページを特定する情報と、番組を特定するための情報とを関連付けて保持する保持手段と、
前記保持手段に保持された情報と前記表示中のＷｅｂページを特定する情報とから、前記表示中のＷｅｂページに関連づけられた番組の有無を判定する判定手段と、
前記判定手段によって、前記表示中のＷｅｂページに関連付けられた番組があると判定された場合、前記表示中のＷｅｂページを特定する情報に関連付けられた、番組を特定するための情報に基づいて、前記表示中のＷｅｂページに関連する関連番組の存在を通知する画面を生成し、前記表示装置に表示させる第２の表示制御手段とを有することを特徴とするＷｅｂ情報処理装置。
【請求項２】
前記情報取得手段は、前記表示装置に表示中のＷｅｂページ中にリンクされている他のＷｅｂページを特定する情報をも取得し、
前記判定手段は、前記他のＷｅｂページを特定する情報についても、関連付けされた番組の有無を判定し、
前記第２の表示制御手段は、前記判定手段によって前記他のＷｅｂページに関連付けされた番組があると判定された場合には、前記他のＷｅｂページを特定する情報に関連付けられた、番組を特定するための情報に基づいて、関連番組の存在を通知する画面を生成して前記表示装置に表示させることを特徴とする請求項１記載のＷｅｂ情報処理装置。
【請求項３】
さらに、前記他のＷｅｂページ中にリンクされているＷｅｂページを特定する情報を取得する第２の情報取得手段を有し、
前記判定手段及び前記第２の表示制御手段は、前記他のＷｅｂページ中にリンクされているＷｅｂページを特定する情報についても、前記他のＷｅｂページを特定する情報と同様に前記判定及び前記表示を行なうことを特徴とする請求項２記載のＷｅｂ情報処理装置。
【請求項４】
さらに、ユーザの指示を受け付ける入力手段と、
前記入力手段を通じてユーザから入力された指示を判別する判別手段と、
前記関連番組の存在を通知する画面の表示中に、前記判別手段により、前記ユーザから通知不要の指示の入力が判別された場合、前記表示中のＷｅｂページを特定する情報を含む通知条件を記憶する記憶手段とを有することを特徴とする請求項１乃至請求項３のいずれか１項に記載のＷｅｂ情報処理装置。
【請求項５】
前記記憶手段に記憶される通知条件に含まれるＷｅｂページを特定する情報により特定されるＷｅｂページが表示中である場合には、前記第２の表示制御手段が、前記関連番組の存在を通知する画面を前記表示装置に表示させないことを特徴とする請求項４記載のＷｅｂ情報処理装置。
【請求項６】
さらに、ユーザに、前記表示中のＷｅｂページと関連付けて記憶したい番組を特定させるための入力画面を前記表示装置に表示させる第３の表示制御手段と、
前記入力画面を介して特定された番組を特定するための情報を、前記表示中のＷｅｂページを特定する情報に関連付けて、前記保持手段に登録する登録手段とを有することを特徴とする請求項１乃至請求項５のいずれか１項に記載のＷｅｂ情報処理装置。
【請求項７】
Ｗｅｂページを表示装置に表示させる第１の表示制御ステップと、
前記表示装置に表示中のＷｅｂページを特定する情報を取得する情報取得ステップと、
Ｗｅｂページを特定する情報と、番組を特定するための情報とを関連づけて保持部に保持する保持ステップと、
前記保持部に保持された情報と前記表示中のＷｅｂページを特定する情報とから、前記表示中のＷｅｂページに関連づけられた番組の有無を判定する判定ステップと、
前記判定ステップによって、前記表示中のＷｅｂページに関連付けられた番組があると判定された場合、前記表示中のＷｅｂページを特定する情報に関連付けられた、番組を特定するための情報に基づいて、前記表示中のＷｅｂページに関連する関連番組の存在を通知する画面を生成し、前記表示装置に表示させる第２の表示制御ステップとを有することを特徴とするＷｅｂ情報処理方法。
【請求項８】
前記情報取得ステップでは、前記表示装置に表示中のＷｅｂページ中にリンクされている他のＷｅｂページを特定する情報をも取得し、
前記判定ステップでは、前記他のＷｅｂページを特定する情報についても、関連付けされた番組の有無を判定し、
前記第２の表示制御ステップでは、前記判定ステップによって前記他のＷｅｂページに関連付けされた番組があると判定された場合には、前記他のＷｅｂページを特定する情報に関連付けられた、番組を特定するための情報に基づいて、関連番組の存在を通知する画面を生成して前記表示装置に表示させることを特徴とする請求項７記載のＷｅｂ情報処理方法。
【請求項９】
さらに、前記他のＷｅｂページ中にリンクされているＷｅｂページを特定する情報を取得する第２の情報取得ステップを有し、
前記判定ステップ及び前記第２の表示制御ステップは、前記他のＷｅｂページ中にリンクされているＷｅｂページを特定する情報についても、前記他のＷｅｂページを特定する情報と同様に前記判定及び前記表示を行なうことを特徴とする請求項８記載のＷｅｂ情報処理方法。
【請求項１０】
さらに、ユーザの指示を受け付ける入力ステップと、
前記入力ステップでユーザから入力された指示を判別する判別ステップと、
前記関連番組の存在を通知する画面の表示中に、前記判別ステップにより、前記ユーザから通知不要の指示の入力が判別された場合、前記表示中のＷｅｂページを特定する情報を含む通知条件を記憶部に記憶する記憶ステップとを有することを特徴とする請求項７乃至請求項９のいずれか１項に記載のＷｅｂ情報処理方法。
【請求項１１】
前記記憶部に記憶される通知条件に含まれるＷｅｂページを特定する情報により特定されるＷｅｂページが表示中である場合には、前記第２の表示制御ステップでは、前記関連番組の存在を通知する画面を前記表示装置に表示させないことを特徴とする請求項１０記載のＷｅｂ情報処理方法。
【請求項１２】
さらに、ユーザに、前記表示中のＷｅｂページと関連付けて記憶したい番組を特定させるための入力画面を前記表示装置に表示させる第３の表示制御ステップと、
前記入力画面を介して特定された番組を特定するための情報を、前記表示中のＷｅｂページを特定する情報に関連付けて、前記保持部に登録する登録ステップとを有することを特徴とする請求項７乃至請求項１１のいずれか１項に記載のＷｅｂ情報処理方法。
【手続補正２】
【補正対象書類名】明細書
【補正対象項目名】００１３
【補正方法】変更
【補正の内容】
【００１３】
上述の目的は、Ｗｅｂページを表示装置に表示させる第１の表示制御手段と、表示装置に表示中のＷｅｂページを特定する情報を取得する情報取得手段と、Ｗｅｂページを特定する情報と、番組を特定するための情報とを関連付けて保持する保持手段と、保持手段に保持された情報と表示中のＷｅｂページを特定する情報とから、表示中のＷｅｂページに関連づけられた番組の有無を判定する判定手段と、判定手段によって、表示中のＷｅｂページに関連付けられた番組があると判定された場合、表示中のＷｅｂページを特定する情報に関連付けられた、番組を特定するための情報に基づいて、表示中のＷｅｂページに関連する関連番組の存在を通知する画面を生成し、表示装置に表示させる第２の表示制御手段とを有することを特徴とするＷｅｂ情報処理装置によって達成される。
【手続補正３】
【補正対象書類名】明細書
【補正対象項目名】００１４
【補正方法】変更
【補正の内容】
【００１４】
また、上述の目的は、Ｗｅｂページを表示装置に表示させる第１の表示制御ステップと、表示装置に表示中のＷｅｂページを特定する情報を取得する情報取得ステップと、Ｗｅｂページを特定する情報と、番組を特定するための情報とを関連づけて保持部に保持する保持ステップと、保持部に保持された情報と表示中のＷｅｂページを特定する情報とから、表示中のＷｅｂページに関連づけられた番組の有無を判定する判定ステップと、判定ステップによって、表示中のＷｅｂページに関連付けられた番組があると判定された場合、表示中のＷｅｂページを特定する情報に関連付けられた、番組を特定するための情報に基づいて、表示中のＷｅｂページに関連する関連番組の存在を通知する画面を生成し、表示装置に表示させる第２の表示制御ステップとを有することを特徴とするＷｅｂ情報処理方法によっても達成される。